(57)【要約】【課題】移動用の滑車を備えた架台と、この架台上に載置できる攪拌タンクとを着脱自在に構成し、さらに攪拌タンクに挿通される電動攪拌ミキサーを架台と着脱自在として変化に富んだ使用ができると共に作業者１人での作業を可能とした新規な簡易モルタルミキサーの提供。【解決手段】モルタルを混練する簡易モルタルミキサーであって、滑車を備えた架台Ａと、この架台上に載置される攪拌タンクＢとより成り、前記架台Ａと前記攪拌タンクＢとの固定手段Ｃを着脱自在に備え、かつ電動攪拌ミキサー７を、前記支持杆１２と、着脱自在に係止して電動攪拌ミキサー７の回転羽根７ｂを攪拌タンクＢ内で回転できるようにして成ることを特徴とする簡易モルタルミキサー。【選択図】図１
2011143637.tif 000002
【特許請求の範囲】
【請求項１】
モルタルを混練する簡易モルタルミキサーであって、滑車を備えた架台と、この架台上に載置される攪拌タンクとより成り、前記架台と前記攪拌タンクとの固定手段を着脱自在に備え、かつ電動攪拌ミキサーを、前記支持杆と、着脱自在に係止して電動攪拌ミキサーの回転羽根を攪拌タンク内で回転できるようにして成ることを特徴とする簡易モルタルミキサー。
【請求項２】
支持杆には、電動攪拌ミキサーの回転軸を回転できる本体の下部を支持懸下できる水平方向の切欠係止孔と、前記本体に設けられる棒状のハンドルを係止する縦板の垂直方向の横孔を設けて成ることを特徴とする請求項１記載の簡易モルタルミキサー。
【請求項３】
固定手段は、架台に設けたボルト孔を介してボルトにより攪拌タンクの外周に設けた雌ネジと螺合による着脱自在として成ることを特徴とする請求項１記載の簡易モルタルミキサー。
【請求項４】
攪拌タンクの下部に設けたモルタルの供給筒管は、架台の傾斜したモルタル案内路に貫通して臨ませ、架台に設けたアーム杆の開閉弁を、前記モルタルの供給筒管の開口部と接離開閉できるように成ることを特徴とする請求項１記載の簡易モルタルミキサー。
【請求項５】
攪拌タンクの蓋には、モルタルの包装袋に刺通して開封できるカッターを備えたモルタル投入口を有することを特徴とする請求項１記載の簡易モルタルミキサー。
【発明の詳細な説明】
【技術分野】
【０００１】
本発明は、取扱いが簡便で、単独使用可能な簡易モルタルミキサーに関する。
【背景技術】
【０００２】
この種のモルタルミキサーは、従来最も一般的なものとして、ハンド式攪拌が知られている。
【０００３】
即ち、ペール缶内に予め計測した量の水を投入し、電動の手持ち攪拌機で攪拌している中へ、モルタル包装よりモルタルを順次と投入し、必要に応じて他の骨材を配合して必要時間攪拌した後、必要なモルタル投入箇所に供給して施工を完了する。
【０００４】
また、モルタル専用攪拌機として滑車を備えた架台上にモルタル攪拌タンクを備えたものも知られている（例えば、特許文献１，２参照）。
【先行技術文献】
【特許文献】
【０００５】
【特許文献１】特開平６−１６６０２０号公報
【特許文献２】実用新案登録第３０５７９８７号公報
【発明の概要】
【発明が解決しようとする課題】
【０００６】
上述の従来一般的なハンド式攪拌は、少量のモルタルには格別問題はないが、或る量以上のモルタルに対しては非能率で、作業性が悪いという不都合がある。
【０００７】
これに対し、特許文献1または２に示すような滑車を備えた架台上に攪拌タンクを設置したモルタル専用攪拌機は、大きく、重量があり、価格も高く、モルタルの処理量は大量可能であるが、架台と攪拌タンクとが一体に固定されているので、使用後の攪拌タンクの清掃に多くの手間が掛かり、しかも２人以上の作業者を必要とすると共に、攪拌羽根が攪拌タンクの底部に臨ませてあるので、超速硬性モルタルの場合は、素早く清掃を行わないと、前記攪拌羽根がモルタルで固着してしまうなど多くの問題，不都合があった。
【０００８】
本発明は、叙上の点に着目して成されたもので、移動用の滑車を備えた架台と、この架台上に載置できる攪拌タンクとを着脱自在に構成し、さらに攪拌タンクに挿通される電動攪拌ミキサーを、前記架台に設けられる支持杆で着脱自在に支持し、変化に富んだ使用ができると共に作業者１人での作業を可能とした新規な簡易モルタルミキサーを提供できるものである。
【課題を解決するための手段】
【０００９】
この発明は下記の構成を備えることにより上記課題を解決できるものである。
【００１０】
（１）モルタルを混練する簡易モルタルミキサーであって、滑車を備えた架台と、この架台上に載置される攪拌タンクとより成り、前記架台と前記攪拌タンクとの固定手段を着脱自在に備え、かつ電動攪拌ミキサーを、前記支持杆と、着脱自在に係止して電動攪拌ミキサーの回転羽根を攪拌タンク内で回転できるようにして成ることを特徴とする簡易モルタルミキサー。
【００１１】
（２）支持杆には、電動攪拌ミキサーの回転軸を回転できる本体の下部を支持懸下できる水平方向の切欠係止孔と、前記本体に設けられる棒状のハンドルを係止する縦板の垂直方向の横孔を設けて成ることを特徴とする前記（１）記載の簡易モルタルミキサー。
【００１２】
（３）固定手段は、架台に設けたボルト孔を介してボルトにより攪拌タンクの外周に設けた雌ネジと螺合による着脱自在として成ることを特徴とする前記（１）記載の簡易モルタルミキサー。
【００１３】
（４）攪拌タンクの下部に設けたモルタルの供給筒管は、架台の傾斜したモルタル案内路に貫通して臨ませ、架台に設けたアーム杆の開閉弁を、前記モルタルの供給筒管の開口部と接離開閉できるように成ることを特徴とする前記（１）記載の簡易モルタルミキサー。
【００１４】
（４）攪拌タンクの蓋には、モルタルの包装袋に刺通して開封できるカッターを備えたモルタル投入口を有することを特徴とする前記（１）記載の簡易モルタルミキサー。
【発明の効果】
【００１５】
本発明によれば、滑車を備えた架台と、電動攪拌ミキサーを操作できる攪拌タンクとが分離可能に連結できるので小型化でき、しかも、施工後の攪拌タンク内の清掃作業が架台と分離された状態で行えるので、非常に便利である。しかも、運搬移動が便利で作業性が良いと共に、連結取外しの固定手段は、ボルトによる螺合，螺出とか、ベルトによる緊締など好みの構成でできる。
【００１６】
攪拌タンクでの電動攪拌ミキサーによる攪拌ミキシング作業は、電動攪拌ミキサーが架台との係止により設置固定できるので、作業者１人で使用できる。
【００１７】
さらに、攪拌タンクの蓋には、モルタルの包装袋を開封できるカッターを備えたモルタル投入口が設けられてあるのでモルタル投入作業が能率的に行える。
【００１８】
また、架台と攪拌タンクとの連結に際し、攪拌タンクに設けたモルタルの供給筒管は、架台のモルタル案内路に臨ませてアーム杆の開閉弁により前記モルタル供給筒管の開口部と接離自在としてあるので、モルタル混練作業後のモルタル供給作業が迅速に行える効果がある。
【００１９】
さらに、電動攪拌ミキサーは架台との係止構成が着脱自在であるので、必要に応じて電動攪拌ミキサーを外して無蓋状のタンクとして作業者が両手で把持してモルタルのミキシング操作を行うこともできる。
【図面の簡単な説明】
【００２０】
【図１】本発明に係る簡易モルタルミキサーの一実施例を示す使用状態の側面図である。
【図２】図１の縦断側面図を示し、アーム杆の作動状態を鎖線で示す。
【図３】架台のみを示し、（ａ）は架台の側面図、（ｂ）は縦断面図、（ｃ）は平面図を示す。
【図４】攪拌タンクの蓋を取り外した状態を示し、（ａ）は平面図、（ｂ）は側面図を示す。
【図５】攪拌タンクの蓋を示し、（ａ）は側面図、（ｂ）は平面図、（ｃ）は（ｂ）のＡ−Ａ線断面図、（ｄ）は（ｂ）のＢ−Ｂ線断面図、（ｅ）はモルタル包装袋投入口の拡大斜面図を示す。
【図６】電動攪拌ミキサーの側面図である。
【図７】図１の正面図である。
【図８】図７の平面図である。
【図９】開蓋状態で作業者が電動攪拌ミキサーを手持ち状態でモルタルを混練している状態の斜視図である。
【発明を実施するための形態】
【００２１】
以下に、本発明の実施例を図面と共に説明する。
【実施例】
【００２２】
図において、Ａは、台板１の一側に起立された支持板２を備え、かつ前記台板１の下部に設けた移動用滑車３を主に配設した架台、Ｂは前記架台Ａ上に載置される攪拌タンクを示し、開口部４を開閉する蓋５を備え、この蓋５の挿通孔６より電動攪拌ミキサー７の回転軸７ａを挿通して下端の攪拌羽根７ｂを水に投入したモルタル内で回転させて混練操作を行わせることができる。
【００２３】
上記架台Ａの台板１上の支持板２に沿って、通孔８が設けられ、前記攪拌タンクＢの下側端に突設したモルタル供給用筒管９を、前記通孔８内に挿通させて攪拌タンクＢを架台Ａ上に載置させることができる。
【００２４】
両者Ａ，Ｂを緊締固定させるための固定手段Ｃは、例えば、架台Ａの支持板２にボルト孔を設けてボルト１０により攪拌タンクＢの外周に設けた雌ネジ板１１と螺合緊締させて簡単に固定できる。
【００２５】
なお、この両者Ａ，Ｂの固定手段Ｃは、図示ないしがベルトを捲回するなど何等特定されない。
【００２６】
１２は、前記電動攪拌ミキサー７を切欠係止孔１３で支持掛止できる┐状の支持杆で、前記支持板２の上部の円弧板１４にボルト１４ａ止めされ、かつ棒状のハンドル７ｃも前記支持杆１２に取付けた縦板１５の横孔１６内で掛止可能としている。
【００２７】
１７は、前記攪拌タンクＢの蓋５の一側に設けた溝孔で、前記挿通孔６と連通してあり電動攪拌ミキサー７の回転軸７ａを挿通させることができると共に、蓋５に軸支させた回転腕１８の係止横孔１９により前記攪拌ミキサー７の回転軸７ａを蓋５において係止できるようにしてある。
【００２８】
したがって、電動攪拌ミキサー７は棒状のハンドル７ｃと共に、架台Ａの支持板２を設けた支持杆１２の切欠係止孔１３と縦板１５の横孔１６と蓋５の溝孔１７並びに回動腕１８の係止横孔１９によって挿通孔６内で確固に固定支持される。
【００２９】
２０は、蓋５に設けたモルタル投入口で、テーパ状の開口部中央に凸形のカッター２１を設け、包装袋のまま投入すると、包装袋にカッター２１が突き刺され、内部のモルタルがカッター２１で切り開かれた包装口より重力により自然落下して攪拌タンクＢ内に投入されることとなる。要するに、予め開封することなく、包装袋の開封とモルタルの投入とが同時に行うことを可能としている。
【００３０】
但し、火急を要する場合は、予め開封して直接モルタルを投入することもある。
【００３１】
２２は、攪拌タンクＢのモルタル供給用筒管９の開口部９ａを開閉する開閉弁を示し、架台Ａの支持板２に沿って設けたＬ字状のアーム杆２３を閉止位置の止杆２４と係脱させ、軸部２５で回動自在とし、前記アーム杆２３の他端に開閉弁２２と連結された短杆２６を介して供給用筒管９の開口部９ａを接離可動させて開閉できる。
【００３２】
なお、前記開閉弁２２の開閉面には弾性機能を有する当片２７を貼接して閉止時の密封性を図っている。２８は前記アーム杆２３の止杆２４の掛止用ストッパーを示す。
【００３３】
２９は、前記攪拌タンクＢの供給用筒管９が臨まれる架台Ａの支持板２の通孔８の両側と下方に向う傾斜したモルタル案内路であり、この案内路２９によって案内され乍ら攪拌タンクＢ内の混練されたモルタルを所望の路面，施工孔などに適確に排出供給させることができる。
【００３４】
３０は攪拌タンクＢの両側面に設けた把手、３１は電動攪拌ミキサーの基部に設けた把持部、３２は電源コードであり、この把持部３１を設けた本体３３内に電動モータ，ギヤ機構が内蔵されており、把持部３１の内側に電源スイッチが配設され、作業者が把持部３１を把持した際に電源スイッチを開閉できる。
【００３５】
上述の構成において、架台Ａの滑車３は、台板１の下部３箇所に設け、２個は固定式滑車とし、１個のみ自在式滑車として形成するのが好ましい。
【００３６】
叙上の構成に基づいて、作用を説明する。
【００３７】
作業現場に到着する前には、概して架台Ａと攪拌タンクＢとは、格別に分離して運搬する。しかし、作業上、両者Ａ，Ｂを連結させて置く場合もある。
【００３８】
つぎに、架台Ａ上に攪拌タンクＢを載置連結する作用を示す。
【００３９】
始めに、攪拌タンクＢを架台Ａの台板１上に載置し、同時に攪拌タンクＢの供給用筒管９を架台Ａの通孔８内に挿通し、併せてボルト１０を用いて、架台Ａの支持板２のボルト孔を介して攪拌タンクＢの雌ネジ板１１と一致させて螺合固定する。この螺合固定による固定手段Ｃにより架台Ａ上に攪拌タンクＢを確固に固定する。併せて攪拌タンクＢの供給用筒管９の開口部９ａを確実に閉止して置く必要があるので、アーム杆２３を掛止用ストッパー２８に係止させて開閉弁２２を確実に開口部９ａを閉塞して置く。
【００４０】
次に、電動攪拌ミキサー７を取付ける作用を説明する。
【００４１】
電動攪拌ミキサー７の把持部３１と棒状のハンドル７ｃを作業者が両手で持ち、攪拌羽根７ｂを攪拌タンクＢ内に入れ、回転軸７ａを架台Ａの円弧板１４にボルト止めされた┐状の支持杆１２の切欠係止孔１３で回転軸７ａの基部を係止させると共に、棒状のハンドル７ｃを縦板１５の横孔１６内に係入して、支持掛止めを完了する。
【００４２】
ついで、攪拌タンクＢを閉蓋し、同時に回動腕１８を回動させて、係止横孔１９で回転軸７ａを非接触の状態に包囲し、蓋５の溝孔１７を閉塞できる。これにより蓋５の挿通孔６に挿通された状態を呈する。
【００４３】
そして、モルタルを攪拌タンクＢに投入することとなるが、使用するモルタルの種類，量によって供給する水の量、或いはモルタルのみの場合、或いは他の骨材の混合比など異にするが、硬化が早い超速硬性無収縮モルタルの場合についてその一例を示す。
【００４４】
計量カップなどで計量された水１８リットル〜２０リットルを攪拌タンクＢ内に入れ、電動攪拌ミキサー７の電源を入れる。
【００４５】
攪拌羽根７ｂを回転させ乍ら、モルタルを包装袋毎、蓋５のモルタル投入口２０に載置させると、モルタル投入口２０の中央に設けられるカッター２１が包装袋内に刺通して突き破り、開封されるので、内部のモルタルは速やかに攪拌タンクＢ内に投入され、回転中の水と混合し混練される。
【００４６】
包装袋内のモルタルがすべてタンクＢ内に供給されて、未だ不足している場合は、他の包装袋を同様にモルタル投入口２０に載置することにより直ちに追加供給できる。
【００４７】
なお、電動攪拌ミキサー７の混練作用が不均一の場合など、必要に応じ、電動攪拌ミキサー７を取り外し蓋５を開けて、作業者の両手で把持部３１とハンドル７ｃを持ち、攪拌する攪拌羽根７ｂを攪拌タンクＢ内で自在に移動させて、均一な混練作業を人為的に行うことも可能である（図９参照）。
【００４８】
斯くして十分混練されたモルタルは、架台Ａの滑車３により使用する施工場所に移動し、架台Ａのモルタル案内路２９の先端を投入箇所に臨ませ、Ｌ字状のアーム杆２３を止杆２４の係止用ストッパー２８より外すことにより、開閉弁２２は開口部９ａより離開し、攪拌タンクＢ内のモルタルはモルタル供給筒管９より自動的に傾斜したモルタル案内路２９を通って流出させることができる。
【００４９】
なお、攪拌タンクＢ内での残渣モルタルについては、ヘラなどを用いてすくい出して用いることもできる。
【００５０】
以上で、一連のモルタル施工を行うことができる。
【００５１】
終了後の攪拌タンクＢ内の清掃には、架台Ａとボルト１０で固定されている攪拌タンクＢは、このボルト１０を取り外すことにより簡単に両者は分離でき、迅速な水洗作業により反覆使用を可能とすることができる。
【００５２】
なお、この実施例で用いた超速硬性無収縮モルタルは、骨材（砂，砂利など）を含まないモルタルであり、狭い間隙やわずかな隙間にも浸透して空隙を作らずに施工できる性質を有するので、電動攪拌ミキサー７の回転羽根７ｂには、ステンレス製を用いることができ、施工箇所はコンクリート構造物，マンホール補修，橋や高速道路のひび割れ箇所等の補修など、多くの分野での使用ができる。
【符号の説明】
【００５３】
Ａ    架台
Ｂ    攪拌タンク
Ｃ    固定手段
１    台板
２    支持板
３    移動用滑車
４    開口部
５    蓋
６    挿通孔
７    電動攪拌ミキサー
７ａ  回転軸
７ｂ  攪拌羽根
７ｃ  ハンドル
８    通孔
９    供給用筒管
９ａ  開口部
１０    ボルト
１１    雌ネジ板
１２    支持杆
１３    切欠係止孔
１４    円弧板
１４ａ  ボルト
１５    縦板
１６    横孔
１７    溝孔
１８    回転腕
１９    係止横孔
２０    モルタル投入口
２１    カッター
２２    開閉弁
２３    アーム杆
２４    止杆
２５    軸部
２６    短杆
２７    当片
２８    掛止用ストッパー
２９    モルタル案内路
３０    把手
３１    把持部
３２    電源コード
３３    本体
【図１】
2011143637.tif 000003
【図２】
2011143637.tif 000004
【図３】
2011143637.tif 000005
【図４】
2011143637.tif 000006
【図５】
2011143637.tif 000007
【図６】
2011143637.tif 000008
【図７】
2011143637.tif 000009
【図８】
2011143637.tif 000010
【図９】
2011143637.tif 000011